(57)【要約】【課題】  新規な見栄えを実現し得る表示制御装置を提供する。【解決手段】  表示装置１０と無線通信可能な携帯端末２０とを備え、携帯端末２０には、タッチ型ディスプレイ２１の動作を制御する制御装置２２が設けられ、表示装置１０には、表示パネル１１の動作を制御する制御手段１２と、他の通信部２３と制御手段１２との間に介在する通信部１４と、複数種の表示レイアウトに関する情報を記憶する記憶手段１９ａとが設けられ、制御装置２２は、ユーザがタッチ型ディスプレイ２１に表示された複数種の表示レイアウトのうち特定の表示レイアウトをタッチ操作することにより生成されるレイアウト変更信号を受信すると、レイアウト変更信号に基づくレイアウト変更指示信号を制御手段１２へと送り、制御手段１２は、レイアウト変更指示信号に基づいて、表示パネル１１に特定の表示レイアウトを画像として表示させるべく、表示パネル１１を表示動作させる。【選択図】図１
2014004845.tif 000002
【特許請求の範囲】
【請求項１】
複数種の表示レイアウトを画像として表示可能な表示パネルを有する表示装置と、前記表示装置と無線通信可能な携帯端末とを備え、
前記携帯端末には、各種情報を表示するタッチパネルを備えたタッチ型ディスプレイと、前記タッチ型ディスプレイの動作を制御する制御装置とが設けられ、
前記表示装置には、前記表示パネルの動作を制御する制御手段と、前記携帯端末に備えられる第１の通信部と間でデータのやりとりが可能であり、前記第１の通信部と前記制御手段との間に介在する第２の通信部と、前記複数種の表示レイアウトに関する情報を記憶する記憶手段とが設けられ、
前記第２の通信部が前記制御手段から出力される前記複数種の表示レイアウトに関する情報を前記第１の通信部を介して前記制御装置へと送ることで、前記制御装置による制御のもと、前記タッチ型ディスプレイには前記複数種の表示レイアウトが表示され、
前記制御装置は、ユーザが前記タッチ型ディスプレイに表示された前記複数種の表示レイアウトのうち特定の表示レイアウトをタッチ操作することにより生成されるレイアウト変更信号を受信すると、前記レイアウト変更信号に基づくレイアウト変更指示信号を前記第１、第２の通信部を介して前記制御手段へと送り、
前記制御手段は、前記レイアウト変更指示信号に基づいて、前記表示パネルに前記特定の表示レイアウトを画像として表示させるべく、前記表示パネルを表示動作させることを特徴とする表示制御装置。
【請求項２】
前記表示レイアウトには、車両の速度を画像として表示するアナログ式またはデジタル式のスピードメータ画像と、車両のエンジン回転数を画像として表示するアナログ式またはデジタル式のタコメータ画像とが含まれており、
前記制御装置は、ユーザが前記スピードメータ画像または前記タコメータ画像の表示領域に対応するタッチパネル箇所を指で操作することに伴う操作信号を受信すると、前記操作信号を前記第１、第２の通信部を介して前記制御手段へと送り、
前記制御手段は、前記操作信号に基づいて前記表示パネルに表示されている前記スピードメータ画像または前記タコメータ画像の表示形態を変化させるべく、前記表示パネルを表示動作させることを特徴とする請求項１記載の表示制御装置。
【請求項３】
イグニッションスイッチがオン状態であり、且つ、シフトポジションがパーキングレンジに位置している場合は、前記制御装置による制御のもと、ユーザは前記タッチ型ディスプレイに表示される前記表示レイアウトのレイアウト変更を行うことができ、
前記イグニッションスイッチがオフ状態であるか前記シフトポジションがパーキングレンジに位置していない場合は、前記制御装置による制御のもと、前記携帯端末に備えられる記憶部にはユーザの前記タッチ操作に基づく前記表示レイアウトのレイアウト変更情報が記憶されることを特徴とする請求項１または請求項２記載の表示制御装置。
【請求項４】
前記表示装置は、所定の聴覚情報を発する発音体を備え、
前記制御手段は、前記レイアウト変更指示信号に基づいて、前記表示パネルに前記特定の表示レイアウトが切替表示されたことをユーザに報知させるべく、前記発音体を吹鳴動作させることを特徴とする請求項１から請求項３のうち何れか１つに記載の表示制御装置。
【請求項５】
前記タッチ型ディスプレイには、前記表示パネルに表示されている前記スピードメータ画像または前記タコメータ画像の表示意匠部の色や輝度を調整するための調整手段が設けられていることを特徴とする請求項１から請求項４のうち何れか１つに記載の表示制御装置。
【請求項６】
前記記憶手段は、前記イグニッションスイッチがオン状態からオフ状態へと操作された際に、オフ状態の直前に前記表示パネルに表示されていた前記特定の表示レイアウトの情報を記憶し、
前記制御手段は、その後、前記イグニッションスイッチがオフ状態からオン状態へと操作されたことを示す信号を受信すると、オフ状態の直前に前記表示パネルに表示されていた前記特定の表示レイアウトを表示させることを特徴とする請求項１から請求項５のうち何れか１つに記載の表示制御装置。
【発明の詳細な説明】
【技術分野】
【０００１】
本発明は、複数種の表示レイアウトを表示可能な表示パネルとこの表示パネルの動作を制御する制御手段とを有する表示装置と、この表示装置と無線通信可能な携帯端末とを備えた表示制御装置に関するものである。
【背景技術】
【０００２】
従来より、この種の表示制御装置にあっては、例えば下記特許文献１に記載されているものが知られている。この特許文献１に記載の表示制御装置は、走行情報からなる車両情報を画像として表示可能な液晶表示パネル（表示パネル）と、この液晶表示パネルの動作を制御するマイクロコンピュータやグラフィックコントローラを含む制御手段とを備えている。
【０００３】
この場合、前記走行情報は、車両の走行速度を指針式画像として表示する第１計器画像と、車両のエンジン回転数を指針式画像として表示する第２計器画像とで構成され、第１計器画像と第２計器画像とは互いに隣接するように液晶表示パネルに表示された状態となっている。
【先行技術文献】
【特許文献】
【０００４】
【特許文献１】特開２００７−１６０９９５号公報
【発明の概要】
【発明が解決しようとする課題】
【０００５】
ところで、上述した特許文献１に記載の表示制御装置の場合、車両走行時において、表示装置上に前述した第１、第２計器画像が常時、表示される構成となっているが、これら第１、第２計器画像は、その表示形態が何ら変化することがないため、面白みがなく単調な見栄えとならざるを得なかった。
そこで本発明は、前述の課題に対して対処するため、新規な見栄えを実現し得る表示制御装置の提供を目的とするものである。
【課題を解決するための手段】
【０００６】
本発明は、複数種の表示レイアウトを画像として表示可能な表示パネルを有する表示装置と、前記表示装置と無線通信可能な携帯端末とを備え、前記携帯端末には、各種情報を表示するタッチパネルを備えたタッチ型ディスプレイと、前記タッチ型ディスプレイの動作を制御する制御装置とが設けられ、前記表示装置には、前記表示パネルの動作を制御する制御手段と、前記携帯端末に備えられる第１の通信部と間でデータのやりとりが可能であり、前記第１の通信部と前記制御手段との間に介在する第２の通信部と、前記複数種の表示レイアウトに関する情報を記憶する記憶手段とが設けられ、前記第２の通信部が前記制御手段から出力される前記複数種の表示レイアウトに関する情報を前記第１の通信部を介して前記制御装置へと送ることで、前記制御装置による制御のもと、前記タッチ型ディスプレイには前記複数種の表示レイアウトが表示され、前記制御装置は、ユーザが前記タッチ型ディスプレイに表示された前記複数種の表示レイアウトのうち特定の表示レイアウトをタッチ操作することにより生成されるレイアウト変更信号を受信すると、前記レイアウト変更信号に基づくレイアウト変更指示信号を前記第１、第２の通信部を介して前記制御手段へと送り、前記制御手段は、前記レイアウト変更指示信号に基づいて、前記表示パネルに前記特定の表示レイアウトを画像として表示させるべく、前記表示パネルを表示動作させることを特徴とする。
【０００７】
また本発明は、前記表示レイアウトには、車両の速度を画像として表示するアナログ式またはデジタル式のスピードメータ画像と、車両のエンジン回転数を画像として表示するアナログ式またはデジタル式のタコメータ画像とが含まれており、前記制御装置は、ユーザが前記スピードメータ画像または前記タコメータ画像の表示領域に対応するタッチパネル箇所を指で操作することに伴う操作信号を受信すると、前記操作信号を前記第１、第２の通信部を介して前記制御手段へと送り、前記制御手段は、前記操作信号に基づいて前記表示パネルに表示されている前記スピードメータ画像または前記タコメータ画像の表示形態を変化させるべく、前記表示パネルを表示動作させることを特徴とする。
【０００８】
また本発明は、イグニッションスイッチがオン状態であり、且つ、シフトポジションがパーキングレンジに位置している場合は、前記制御装置による制御のもと、ユーザは前記タッチ型ディスプレイに表示される前記表示レイアウトのレイアウト変更を行うことができ、前記イグニッションスイッチがオフ状態であるか前記シフトポジションがパーキングレンジに位置していない場合は、前記制御装置による制御のもと、前記携帯端末に備えられる記憶部にはユーザの前記タッチ操作に基づく前記表示レイアウトのレイアウト変更情報が記憶されることを特徴とする。
【０００９】
また本発明は、前記表示装置は、所定の聴覚情報を発する発音体を備え、前記制御手段は、前記レイアウト変更指示信号に基づいて、前記表示パネルに前記特定の表示レイアウトが切替表示されたことをユーザに報知させるべく、前記発音体を吹鳴動作させることを特徴とする。
【００１０】
また本発明は、前記タッチ型ディスプレイには、前記表示パネルに表示されている前記スピードメータ画像または前記タコメータ画像の表示意匠部の色や輝度を調整するための調整手段が設けられていることを特徴とする。
【００１１】
また本発明は、前記記憶手段は、前記イグニッションスイッチがオン状態からオフ状態へと操作された際に、オフ状態の直前に前記表示パネルに表示されていた前記特定の表示レイアウトの情報を記憶し、前記制御手段は、その後、前記イグニッションスイッチがオフ状態からオン状態へと操作されたことを示す信号を受信すると、オフ状態の直前に前記表示パネルに表示されていた前記特定の表示レイアウトを表示させることを特徴とする。
【発明の効果】
【００１２】
本発明によれば、初期の目的を達成でき、新規な見栄えを実現し得る表示制御装置を提供できる。
【図面の簡単な説明】
【００１３】
【図１】本発明の実施形態による表示制御装置の電気的構成を示すブロック図。
【図２】同実施形態による表示パネルに表示される車両情報の一例を示す図。
【図３】同実施形態による記憶手段に記憶される複数種の表示レイアウトを示す図。
【図４】（ａ）は携帯端末のタッチ型ディスプレイに表示されるメニュー画面を示す図であり、（ｂ）は携帯端末のタッチ型ディスプレイに表示される表示レイアウトの選択画面を示す図であり、（ｃ）はユーザによって特定の表示レイアウトが選択された後の表示レイアウトの選択画面を示す図である。
【図５】（ａ）はユーザによるジェスチャー操作前の２本の指とスピードメータ画像とを示す図であり、（ｂ）はユーザによるジェスチャー操作後の２本の指とスピードメータ画像とを示す図である。
【図６】同実施携帯による表示パネルに表示されるスピードメータ画像等の表示意匠部の色や輝度を調整するための色／輝度調整画面を示す図である。
【発明を実施するための形態】
【００１４】
以下、図１〜図６に基づいて本発明の実施形態を説明する。
【００１５】
図１において、本実施形態による表示制御装置は、車両の運転席前方に設置された車両用計器（車両用メータ）からなる表示装置１０と、この表示装置１０と無線通信可能なスマートフォンからなる携帯端末２０とを備え、これら表示装置１０及び携帯端末２０は、ともに近距離電波送受信機能を有している。
【００１６】
表示装置１０は、表示パネル１１と、制御手段１２と、入力端子１３と、通信部１４と、記憶手段１５から主に構成されている。表示パネル１１は、例えば車両を運転するユーザ（運転者）に対して後述するスピードメータ画像等の車両情報を計器画像として表示可能な液晶表示パネルや有機ＥＬパネルからなるフラットパネルディスプレイを適用することができ、本例では、車両の運転席に着座しているユーザの前方となる車内の適宜箇所に設置されているものとする。
【００１７】
なお、この場合、画像を表示する表示パネル１１は、図２に示すように、その画面上にて、例えば車両の走行速度を画像として表示する指針式（アナログ式）のスピードメータ画像１５と、車両のエンジン回転数を画像として表示する指針式（アナログ式）のタコメータ画像１６と、車両の燃料残量をバーグラフ等の画像として表示するフューエル画像１７と、シフトポジジョンを画像にて表示するシフトポジジョン画像１８と、各種警告情報を画像にて表示するワーニング画像１９とを表示可能に構成されている。
【００１８】
スピードメータ画像１５並びにタコメータ画像１６は、ともに機械式の指針計器を模した画像となっており、制御手段１２による制御のもと、入力端子１３を通じて入力する車速情報、回転数情報に応じた値を指示するようになっている。
【００１９】
また、フューエル画像１７は、制御手段１２による制御のもと、入力端子１３を通じて入力する燃料残量情報に応じた値をバーグラフ等にて表示し、シフトポジジョン画像１８は、制御手段１２による制御のもと、入力端子１３を通じて入力するパーキングレンジ等のシフトポジションを表示する。同様に、ワーニング画像１９は、制御手段１２による制御のもと、入力端子１３を通じて入力するシートベルト未着用警報等のワーニング情報を表示する。
【００２０】
なお、スピードメータ画像１５は、図２中、表示パネル１１の左方側に表示され、線状に延びる第１指針１５ａと、この第１指針１５ａの作動範囲に表示され、第１指針１５ａによって指示される数字、目盛等からなる白色の第１指標部１５ｂとを有し、タコメータ画像１６は、図２中、表示パネル１１の右方側に表示され、線状に延びる第２指針１６ａと、この第２指針１６ａの作動範囲に表示され、第２指針１６ａによって指示される数字、目盛等からなる白色の第２指標部１６ｂとを有している。また、第１、第２の指標部１５ｂ、１６ｂは、後述する特許請求の範囲の請求項５における表示意匠部に相当するものである。
【００２１】
そして、フューエル画像１７は、図２中、表示パネル１１の右上に位置し、シフトポジジョン画像１８は、図２中、表示パネル１１の中央上方に位置し、さらにワーニング画像１９は、タコメータ画像１６の上側に位置している。
【００２２】
制御手段１２は、例えばＲＯＭ、ＲＡＭ、入出力インターフェイス等を含むマイクロコンピュータ１２ａと、このマイクロコンピュータ１２ａからの指令信号に応じて表示パネル１１の動作を制御するグラフィックコントローラ１２ｂとからなる。
【００２３】
マイクロコンピュータ１２ａは、入力端子１３を通じて入力する前記車速情報、前記回転数情報、前記燃料残量情報等を処理し、グラフィックコントローラ１２ｂの制御をもとに表示パネル１１に表示させるスピードメータ画像１５、タコメータ画像１６、フューエル画像１７等を制御する。
【００２４】
通信部１４は、携帯端末２０に備えられる後述する他の通信部（第１の通信部）との間で無線通信を行うものである。換言すれば、通信部１４は、携帯端末２０に備えられる前記他の通信部と間でデータのやりとりが可能であり、前記他の通信部と制御手段１２との間に介在するように設けられる。なお、この通信部１４は、後述する特許請求の範囲における第２の通信部に相当するものである。
【００２５】
記憶手段１９ａは、ＥＥＰＲＯＭ等の不揮発性メモリからなり、この場合、後述する複数種の表示レイアウトに関する情報を記憶するものである。記憶手段１９ａには、図３（ａ）〜図３（ｆ）に示すような６種類（複数種）の表示レイアウトが記憶されている。
【００２６】
図３（ａ）は、ベーシックタイプ１と称される表示レイアウト３０（以下、第１の表示レイアウトと言う）であり、各画像１５〜１９の配置は、図２の構成と同一構成となっている。図３（ｂ）は、ベーシックタイプ２と称される表示レイアウト４０（以下、第２の表示レイアウトと言う）であり、このベーシックタイプ２の表示レイアウトは、ベーシックタイプ１の表示レイアウトに対して、スピードメータ画像１５とタコメータ画像１６とを入れ替えた構成となっている。
【００２７】
図３（ｃ）は、スポーツタイプと称される表示レイアウト５０（以下、第３の表示レイアウトと言う）であり、この第３の表示レイアウト５０としては、アナログ式のスピードメータ画像５１と、アナログ式のタコメータ画像５２と、アナログ式のフューエル画像５３と、シフトポジジョン画像５４と、ワーニング画像５５と、指針式の水温計を模したアナログ式の水温計画像５６と、指針式の油温計を模したアナログ式の油温計画像５７と、指針式の油圧計を模したアナログ式の油圧計画像５８とが設けられている。これら各画像５１〜５８の配置は、図３（ｃ）に示したような配置としている。
【００２８】
図３（ｄ）は、女性・シニア向けタイプと称される表示レイアウト６０（以下、第４の表示レイアウトと言う）であり、この第４の表示レイアウト６０としては、アナログ式のスピードメータ画像６１と、バーグラフ式等のフューエル画像６２と、シフトポジジョン画像６３と、ワーニング画像６４とが設けられている。これら各画像６１〜６４の配置は、図３（ｄ）に示したような配置としている。
【００２９】
図３（ｅ）は、デジタル表示タイプと称される表示レイアウト７０（以下、第５の表示レイアウトと言う）であり、この第５の表示レイアウト７０としては、デジタル式のスピードメータ画像７１と、デジタル式またはバーグラフ式のタコメータ画像７２と、バーグラフ式等のフューエル画像７３と、シフトポジジョン画像７４と、ワーニング画像７５とが設けられている。これら各画像７１〜７５の配置は、図３（ｅ）に示したような配置としている。
【００３０】
図３（ｆ）は、ナビ一体タイプと称される表示レイアウト８０（以下、第６の表示レイアウトと言う）であり、この第６の表示レイアウト８０としては、デジタル式のスピードメータ画像８１と、アナログ式のタコメータ画像８２と、バーグラフ式等のフューエル画像８３と、シフトポジジョン画像８４と、ワーニング画像８５と、ナビゲーション画像８６とが設けられている。これら各画像８１〜８６の配置は、図３（ｆ）に示したような配置としている。
【００３１】
一方、ユーザが携帯している携帯端末２０は、各種情報を表示するタッチパネルを備えたタッチ型ディスプレイ２１と、このタッチ型ディスプレイ２１の動作を制御するＣＰＵや制御対象となる基本ソフト（ｉＯＳ、Ａｎｄｒｏｉｄ等）、当該基本ソフトの命令を受けて描画補助を行うＯｐｅｎＧＬ  ＥＳを含む制御装置２２と、表示装置１０の通信部１４との間でデータのやりとりが可能な他の通信部２３と、前記複数種の表示レイアウトに関する情報を記憶するＥＥＰＲＯＭ等の不揮発性メモリからなる記憶部２４とから主に構成されている。
【００３２】
タッチ型ディスプレイ２１は、携帯端末２０の正面に設けられ、例えば詳細図示は省略するが、液晶表示パネルの表示エリア上に抵抗膜方式や静電容量方式等のタッチパネルが重ねて配置された構成となっており、ユーザが前記表示エリアに対応するタッチパネル箇所をタッチすることにより、スイッチとして機能する。
【００３３】
他の通信部２３は、表示装置１０に備えられる通信部１４との間で無線通信を行うものである。なお、この他の通信部２３は、後述する特許請求の範囲における第１の通信部に相当するものである。
【００３４】
次に、図４、図５を用いて、携帯端末２０を利用した計器画像の表示レイアウトの変更方法について説明する。なお、このとき、ユーザはイグニッションスイッチをオン状態としており、且つ、シフトポジションがパーキングレンジとなっている状態（つまり車両が停車している状態）で携帯端末２０を把持しているものとする。
【００３５】
まず、図４（ａ）に示すように携帯端末２０のタッチ型ディスプレイ２１にメニュー画面が表示されている状態において、ユーザがレイアウト選択ボタン２１ａをタッチすると、図４（ｂ）に示すようなレイアウト選択画面９０がタッチ型ディスプレイ２１に表示される。
【００３６】
具体的には、このとき、携帯端末２０に備えられる他の通信部２３が表示装置１０に備えられる制御手段１２から出力される前記複数種の表示レイアウトに関する情報を通信部１４を介して携帯端末２０側の制御装置２２へと送ることで、制御装置２２による制御のもと、タッチ型ディスプレイ２１には図４（ｂ）に示すような前記複数種の表示レイアウトからなるレイアウト選択画面９０が表示される。
【００３７】
例えば、この場合、レイアウト選択画面９０の上部には、現在、選択されているレイアウト画面である第１の表示レイアウト３０に対応する計器画像が大きく表示されている。そして、現在、選択されている第１の表示レイアウト３０の下方には、第１の表示レイアウト３０以外の選択候補画面である第２〜第４の表示レイアウト４０〜６０が小さく表示されている。
【００３８】
なお、この状態でユーザが前記選択候補画面上を指でなぞるような操作を行うと、前記選択候補画面には、表示しきれなかった他の選択候補画面である第５の表示レイアウト７０や第６の表示レイアウト８０がスライド表示されるようになっている。
【００３９】
次に、例えばレイアウト選択画面９０の上部に表示されている第１の表示レイアウト３０を第２の表示レイアウト４０に変更する場合の操作方法について説明する。ここでは、図４（ｂ）に示すように前記選択候補画面として第２〜第４の表示レイアウト４０〜６０が表示されているものとする。
【００４０】
レイアウト選択画面９０の上部に表示されている第１の表示レイアウト３０を第２の表示レイアウト４０に変更したい場合には、ユーザは、タッチ型ディスプレイ２１に表示されている第２の表示レイアウト４０に対応するタッチパネル箇所をタッチ操作すればよい。
【００４１】
このとき、携帯端末２０側の制御装置２２は、ユーザがタッチ型ディスプレイ２１に表示された前記複数種の表示レイアウトのうち特定の表示レイアウト（つまり第２の表示レイアウト４０）をタッチ操作することにより生成されるレイアウト変更信号を受信し、前記レイアウト変更信号に基づくレイアウト変更指示信号を他の通信部２３、通信部１４を介して表示装置１０側の制御手段１２へと送るような制御を行う。
【００４２】
また、制御装置２２による制御のもと、図４（ｃ）に示すようにタッチ型ディスプレイ２１に表示されているレイアウト選択画面９０の上部には第２の表示レイアウト４０が拡大表示されるとともに、それまでレイアウト選択画面９０の上部に表示されていた第１の表示レイアウト３０は前記選択候補画面へと縮小表示されることになる。
【００４３】
ここで、レイアウト選択画面９０の上部に表示される第２の表示レイアウト４０に対応する計器画像は、上述のスピードメータ画像１５に対応する疑似スピードメータ画像２５と、上述のタコメータ画像１６に対応する疑似タコメータ画像２６と、上述のフューエル画像１７に対応する疑似フューエル画像２７と、上述のシフトポジジョン画像１８に対応する疑似シフトポジジョン画像２８と、上述のワーニング画像１９に対応する疑似ワーニング画像２９とから構成されている。
【００４４】
そして、制御手段１２は、前記レイアウト変更指示信号に基づいて、表示装置１０側の表示パネル１１に前記特定の表示レイアウト（つまり第２の表示レイアウト４０）を画像として表示させるべく、表示パネル１１を表示動作させる制御を行う。すると、表示パネル１１には、第２の表示レイアウト４０に対応する計器画像が表示される。
【００４５】
また、上述のように表示パネル１１に表示されている情報が第１の表示レイアウト３０から第２の表示レイアウト４０（前記特定の表示レイアウト）へと切り替わったことをユーザに音声（聴覚情報）にて報知するようにしてもよい。この場合、表示装置１０は、所定の聴覚情報を発するスピーカからなる発音体１１０を備え（図１参照）、制御手段１２は、前記レイアウト変更指示信号に基づいて、表示パネル１１に第２の表示レイアウト４０（前記特定の表示レイアウト）が切替表示されたことをユーザに報知させるべく、発音体１１０を吹鳴動作させる。一例として発音体１１０の吹鳴動作によって、ユーザは「メータの表示を変更しました」という音声を聴取する。
【００４６】
なお、上述のように表示パネル１１に第２の表示レイアウト４０に対応する計器画像が表示された後、アナログ式のスピードメータ画像１５やタコメータ画像１６の大きさや各指標部１５ｂ、１６ｂの色や輝度を変化させることも可能である。
【００４７】
まず、アナログ式のスピードメータ画像１５やタコメータ画像１６の大きさの設定変更について、一例としてアナログ式のスピードメータ画像１５の大きさを変化（拡大）させる例について説明するが、同様の方法でアナログ式のタコメータ画像１６、デジタル式のスピードメータ画像１５やタコメータ画像１６の大きさを変化させることもできる。
【００４８】
この場合、まず、ユーザが、ユーザの親指１０１と人差し指１０２をくっつけた状態で、レイアウト選択画面９０の上部に表示されている疑似スピードメータ画像２５の表示領域に対向するタッチパネル箇所をタッチし（図５（ａ））、その後、図５（ｂ）に示すように親指１０１と人差し指１０２とを離間させるように両指１０１、１０２（親指１０１と人差し指１０２）をタッチパネル上に沿い移動させることで、両指１０１、１０２の間の離間距離に応じた操作信号を制御装置２２のＣＰＵが受信するようになっている。
【００４９】
制御装置２２のＣＰＵは、このようにユーザがレイアウト選択画面９０上に表示された疑似スピードメータ画像２５の表示領域に対向するタッチパネル箇所を２本の指１０１、１０２でジェスチャー操作することに伴う前記操作信号を受信すると、前記操作信号に基づいてレイアウト選択画面９０上に表示された疑似スピードメータ画像２５を拡大表示させる。
【００５０】
これと同時に、制御装置２２のＣＰＵは、前記操作信号を受信すると、前記操作信号を他の通信部２３、通信部１４を介して表示装置１０側の制御手段１２へと送り、この制御手段１２は、前記操作信号に基づいて表示パネル１１に表示されているスピードメータ画像１５の表示形態を変化させるべく、表示パネル１１を表示動作させる制御を行う。
【００５１】
例えば、制御装置２２のＣＰＵは、２本の指１０１、１０２を利用したジェスチャー操作に伴い前記離間距離の寸法が１０ミリメートルであれば、当該寸法が１０ミリメートルであることを示す前記操作信号を受信し、かかる操作信号に基づいてスピードメータ画像１５の大きさを所定の拡大倍率（例えば通常の１．２倍の大きさ）で表示させるべく、表示パネル１１を表示動作させる制御を行う。なお、前記離間距離の徐々に小さくなっている場合には、スピードメータ画像１５の大きさが縮小表示されることになる。
【００５２】
次に、スピードメータ画像１５の第１の指標部１５ｂ、並びにタコメータ画像１６の第２の指標部１６ｂの色や輝度を変更するについて説明する。ここでは、表示装置１０側の表示パネル１１には第２の表示レイアウト４０に相当する計器画像が表示され、図４（ｃ）中、レイアウト選択画面９０の上部には第２表示パターン４０に対応する表示がなされているものとする。
【００５３】
まず、図４（ｃ）中、第２表示パターン４０に対応するタッチパネル箇所をユーザがタッチ操作すると、それまで表示されていたレイアウト選択画面９０が色／輝度調整画面１２０へと切り替わる（図６参照）。この色／輝度調整画面１２０は、タッチ型ディスプレイ２１に設けられ、表示パネル１１に表示されている各メータ画像１５、１６の各指標部１５ｂ、１６ｂの色や輝度を調整する機能を有している。
【００５４】
この色／輝度調整画面１２０は、各指標部１５ｂ、１６ｂの色を調整するための色調整画面１２１と、各指標部１５ｂ、１６ｂの輝度を調整するための輝度調整画面１２２とから構成されている。
【００５５】
色調整画面１２１上には一例として赤色、青色、黄色、緑色の選択項目が表示されており、例えばユーザが赤色に対応する箇所をタッチ操作すると、各指標部１５ｂ、１６ｂの色を白色から赤色へと切り替えるべく、携帯端末２０側からの色変更指示信号を受けた制御手段１２は表示パネル１１を照明するように表示装置１０に備えられるフルカラー型ＬＥＤ（光源）１３０を駆動させる。また、この光源１３０に代えて表示パネル１１に備えられる画素（ＲＧＢ画素）を利用して各指標部１５ｂ、１６ｂの色を白色から赤色へと切り替えてもよい。なお、ユーザが色調整画面１２１上を指でなぞるような操作を行うと、色調整画面１２１には橙色や水色等の他の色の候補がスライド表示される。
【００５６】
一方、輝度調整画面１２２は、左右方向に延びる操作エリア１２２ａ上に円形の輝度設定部１２２ｂが表示された構成となっており、ユーザが輝度設定部１２２ｂ上を右方向に指でなぞるような操作を行った場合には各指標部１５ｂ、１６ｂを明るく発光表示させるべく、またユーザが輝度設定部１２２ｂ上を左方向に指でなぞるような操作を行った場合には各指標部１５ｂ、１６ｂを暗く発光表示させるべく、携帯端末２０側からの輝度変更指示信号を受けた制御手段１２は、フルカラー型ＬＥＤ１３０をＰＷＭ駆動させる。なお、色／輝度調整画面１２０は、後述する特許請求の範囲の請求項５における調整手段に相当するものである。
【００５７】
なお、ユーザが色／輝度調整画面１２０において、疑似スピードメータ画像２５をタッチ操作した後、色／輝度調整画面１２０を操作することで、表示装置１０側のスピードメータ画像１５の第１の指標部１５ａの色や輝度のみを変更するような構成としてもよい。もちろん、表示装置１０側のタコメータ画像１６の色や輝度のみを変更できることは言うまでもない。
【００５８】
以上のように本実施形態によれば、制御装置２２は、ユーザがタッチ型ディスプレイ２１に表示された前記複数種の表示レイアウトのうち前記特定の表示レイアウト（例えば第２の表示レイアウト４０）をタッチ操作することにより生成される前記レイアウト変更信号を受信すると、前記レイアウト変更信号に基づく前記レイアウト変更指示信号を他の通信部２３、通信部１４を介して表示装置１０側の制御手段１２へと送り、当該制御手段１２は、前記レイアウト変更指示信号に基づいて、表示装置１０に備えられる表示パネル１１に前記特定の表示レイアウト（例えば第２の表示レイアウト４０）を画像として表示させるべく、表示パネル１１を表示動作させることにより、ユーザがレイアウト選択画面９０を操作することで、表示装置１０側に表示される計器画像の表示形態が変化するので、面白みのある新規な見栄えを実現することが可能となる。
【００５９】
また本実施形態では、制御装置２２は、ユーザがスピードメータ画像１５と同一画像である疑似スピードメータ画像２５またはタコメータ画像と同一画像である疑似タコメータ画像２６の表示領域に対応するタッチパネル箇所を指で操作することに伴う前記操作信号を受信すると、前記操作信号を他の通信部２３、通信部１４を介して制御手段１２へと送り、制御手段１２は、前記操作信号に基づいて表示パネル１１に表示されているスピードメータ画像１５またはタコメータ画像１６の表示形態を変化させるべく、表示パネル１１を表示動作させることにより、タッチ型ディスプレイ２１上でのユーザのジェスチャー操作に応じて、スピードメータ画像１５やタコメータ画像１６の表示形態が変化するので、面白みのある表示制御装置を提供することが可能となる。
【００６０】
また本実施形態では、表示装置１０は、前記聴覚情報を発する発音体１１０を備え、制御手段１２は、前記レイアウト変更指示信号に基づいて、表示パネル１１に前記特定の表示レイアウト（例えば第２の表示レイアウト４０）が切替表示されたことをユーザに報知させるべく、発音体１１０を吹鳴動作させることにより、表示装置１０側に表示される計器画像のレイアウト変更をユーザに確実に知らせることができる。
【００６１】
また本実施形態では、タッチ型ディスプレイ２１には、スピードメータ画像１５またはタコメータ画像１６の前記表示意匠部（各指標部１５ｂ、１６ｂ）の色や輝度を調整するための色／輝度調整画面１２０が設けられていることにより、色／輝度調整画面１２０上でのユーザのタッチ操作に応じて、ユーザの好みに応じて前記表示意匠部の色や輝度を自由に変化させることができ、面白みのある表示制御装置を提供することが可能となる。
【００６２】
また本実施形態では、イグニッションスイッチがオン状態であり、且つ、シフトポジションがパーキングレンジであることを前提条件としたが、例えばイグニッションスイッチがオフ状態であるかシフトポジションがパーキングレンジに位置していない場合は、制御装置２２による制御のもと、携帯端末２０に備えられる記憶部２４には、ユーザのタッチ操作に基づく表示レイアウトのレイアウト変更情報（例えば上述ようにレイアウト選択画面９０にてユーザが選択候補画面のうち第２の表示レイアウト４０に対応するタッチパネル箇所をタッチ操作したことを示す情報）が記憶されるようになっている。
【００６３】
そして、記憶部２４に前記レイアウト変更情報が記憶された後、前記前提条件が成立すると、制御装置２２は、記憶部２４に保持していた前記レイアウト変更情報を読み出して、前記レイアウト変更情報が他の通信部２３、通信部１４を介して表示装置１０側の制御手段１２へと自動的に送信されて、制御手段１２は、前記レイアウト変更情報（つまり前記レイアウト変更指示信号）に基づく表示を表示パネル１１に表示させるべく、表示パネル１１を表示動作させるものである。
【００６４】
従って、イグニッションスイッチがオフ状態であるかシフトポジションがパーキングレンジに位置していない間は、前記レイアウト変更情報は失われることなく表示装置１０に備えられる記憶部２４に格納された状態となっていることから、ユーザによるイグニッションスイッチのオン操作とシフトポジションのパーキングレンジへの操作とが実行された後に、表示装置１０と携帯端末２０の動作に支障が生じる虞のない表示制御装置を提供することができる。
【００６５】
なお、本発明にあっては、ユーザがイグニッションスイッチをオフさせた後、所定時間経過後にイグニッションスイッチをオンさせた際に、表示パネル１１に表示される表示レイアウトは、ユーザがイグニッションスイッチをオフさせる直前に表示されていた表示レイアウトを再表示させることが望ましい。
【００６６】
この場合、表示装置１０に備えられる記憶手段１９ａは、イグニッションスイッチがオン状態からオフ状態へと操作された際に、オフ状態の直前に表示パネル１１に表示されていた特定の表示レイアウトの情報を記憶し、表示装置１０に備えられる制御手段１２は、その後（前記所定時間経過後）、イグニッションスイッチがオフ状態からオン状態へと操作されたことを示す信号を受信すると、イグニッションスイッチのオフ状態の直前に表示パネル１１に表示されていた特定の表示レイアウトを再表示させる制御を行うことから、ユーザはレイアウト選択画面９０を利用して表示レイアウトの設定を再度、行うことが不要となり、利便性の高い表示制御装置を提供することができる。
【符号の説明】
【００６７】
１０    表示装置
１１    表示パネル
１２    制御手段
１２ａ  マイクロコンピュータ
１２ｂ  グラフィックコントローラ
１４    通信部（第２の通信部）
１５    スピードメータ画像
１６    タコメータ画像
１９ａ  記憶手段
２０    携帯端末
２１    タッチ型ディスプレイ
２２    制御装置
２３    他の通信部（第１の通信部）
２４    記憶部
３０    第１の表示レイアウト
４０    第２の表示レイアウト
５０    第３の表示レイアウト
６０    第４の表示レイアウト
７０    第５の表示レイアウト
８０    第６の表示レイアウト
９０    レイアウト選択画面
１１０    発音体
１２０    色／輝度設定画面（調整手段）
１３０    フルカラー型ＬＥＤ（光源）
【図１】
2014004845.tif 000003
【図２】
2014004845.tif 000004
【図３】
2014004845.tif 000005
【図４】
2014004845.tif 000006
【図５】
2014004845.tif 000007
【図６】
2014004845.tif 000008